(57)【特許請求の範囲】
【請求項１】
遊技球が移動可能な遊技領域が区画形成された遊技盤と、遊技領域に配置され、遊技球の内部への流入を規制する壁が設けられた枠体状の前面構成部材と、遊技盤の裏面に配置され、前記前面構成部材の後方に前面側が開口する凹室を形成する裏面構成部材と、前記裏面構成部材の後方に配置される表示装置と、を備えた遊技機において、
前記前面構成部材の内底部には、上面に遊技球を転動可能なステージ部を設け、
前記裏面構成部材の凹室の奥部には、前記表示装置の表示部を前方へ臨ませるための表示開口窓を形成し、
前記表示開口窓の周縁部には、前記表示装置の表示部の前方で演出動作を行うことが可能な可動演出装置を配設し、
前記ステージ部と前記可動演出装置との間には、前記表示装置の表示部及び前記可動演出装置を透視可能とする透明なカバーパネル部を設け、
前記前面構成部材および前記裏面構成部材の内側に形成される遊技領域は、前記カバーパネル部を境界にして前記可動演出装置側に位置する後方遊技領域と、前記カバーパネル部を挟んで前記可動演出装置とは反対側に位置する前方遊技領域とに区画分離され、
前記後方遊技領域には、遊技球が前記可動演出装置の下方を転動により移動する後方領域側ステージ部を設けたことを特徴とする遊技機。
【請求項２】
前記可動演出装置は、
第１演出部材を前記表示部の中央寄りに位置させた第１演出実行状態と、第１演出部材を前記表示部の一側寄りに位置させた第１演出停止状態とに変換可能な第１演出ユニットと、
第２演出部材を前記表示部の中央寄りに位置させた第２演出実行状態と、第２演出部材を前記表示部の他側寄りに位置させた第２演出停止状態とに変換可能な第２演出ユニットと、を備え、
前記第１演出部材は、前記第２演出実行状態に変換された前記第２演出部材に当接可能な第１当接部を備え、該第１当接部に第１磁性体を配置し、
前記第２演出部材は、前記第１演出実行状態に変換された前記第１演出部材に当接可能な第２当接部を備え、該第２当接部に第２磁性体を配置し、
前記第１演出ユニットを前記第１演出実行状態へ変換するとともに、前記第２演出ユニットを前記第２演出実行状態へ変換すると、前記第１磁性体と前記第２磁性体とが吸引されて前記第１当接部と前記第２当接部とが当接することを特徴とする請求項１に記載の遊技機。
【発明の詳細な説明】
【技術分野】
【０００１】
本発明は、遊技領域が区画形成された遊技盤と、遊技領域に配置され、遊技球の内部への流入を規制する壁が設けられた枠体状の前面構成部材と、遊技盤の裏面に配置され、前面構成部材の後方に前面側が開口する凹室を形成する裏面構成部材と、前記裏面構成部材の後方に配置される表示装置とを備えたパチンコ遊技機等の遊技機に関する。
【背景技術】
【０００２】
従来の遊技機、例えば、パチンコ遊技機においては、遊技盤の表面に遊技領域を区画形成し、該遊技領域内には、変動表示ゲームが表示される表示装置の表示部を臨ませた包囲枠体（所謂センターケース）や、変動表示ゲームを開始するための始動入賞口等を配置している。また、遊技に関わる演出効果を向上させるために、包囲枠体の左右両側に可動演出装置を配置し、変動表示ゲームの進行に伴って可動演出装置を作動するものが存在している（例えば、特許文献１参照）。
【０００３】
そして、近年では、演出効果の更なる向上、および既存のパチンコ遊技機との差別化を図るために、例えば、包囲枠体の左右両側から可動演出装置の演出部材を移動し、２つの演出部材を１つの装飾体に見えるように当接することが考えられている。また、演出部材の移動範囲を広く設定して、動的な演出効果を十分に得ようとすることが考えられている。
【先行技術文献】
【特許文献】
【０００４】
【特許文献１】特開２００７−０９８１６８号公報
【発明の概要】
【発明が解決しようとする課題】
【０００５】
ところが、表示部や表示部の前方で演出動作を行う可動演出装置の前方がカバーされていないという問題があった。
【０００６】
そこで、本発明は、上記の事情に鑑みてなされたものであり、その目的は、表示部や表示部の前方で演出動作を行う可動演出装置の前方をカバーすることができる遊技機を提供しようとするものである。
【課題を解決するための手段】
【０００７】
本発明は、上記目的を達成するために提案されたものであり、請求項１に記載のものは、遊技球が移動可能な遊技領域が区画形成された遊技盤と、遊技領域に配置され、遊技球の内部への流入を規制する壁が設けられた枠体状の前面構成部材と、遊技盤の裏面に配置され、前記前面構成部材の後方に前面側が開口する凹室を形成する裏面構成部材と、前記裏面構成部材の後方に配置される表示装置と、を備えた遊技機において、
前記前面構成部材の内底部には、上面に遊技球を転動可能なステージ部を設け、
前記裏面構成部材の凹室の奥部には、前記表示装置の表示部を前方へ臨ませるための表示開口窓を形成し、
前記表示開口窓の周縁部には、前記表示装置の表示部の前方で演出動作を行うことが可能な可動演出装置を配設し、
前記ステージ部と前記可動演出装置との間には、前記表示装置の表示部及び前記可動演出装置を透視可能とする透明なカバーパネル部を設け、
前記前面構成部材および前記裏面構成部材の内側に形成される遊技領域は、前記カバーパネル部を境界にして前記可動演出装置側に位置する後方遊技領域と、前記カバーパネル部を挟んで前記可動演出装置とは反対側に位置する前方遊技領域とに区画分離され、
前記後方遊技領域には、遊技球が前記可動演出装置の下方を転動により移動する後方領域側ステージ部を設けたことを特徴とする遊技機である。
【０００８】
請求項２に記載のものは、前記可動演出装置は、
第１演出部材を前記表示部の中央寄りに位置させた第１演出実行状態と、第１演出部材を前記表示部の一側寄りに位置させた第１演出停止状態とに変換可能な第１演出ユニットと、
第２演出部材を前記表示部の中央寄りに位置させた第２演出実行状態と、第２演出部材を前記表示部の他側寄りに位置させた第２演出停止状態とに変換可能な第２演出ユニットと、を備え、
前記第１演出部材は、前記第２演出実行状態に変換された前記第２演出部材に当接可能な第１当接部を備え、該第１当接部に第１磁性体を配置し、
前記第２演出部材は、前記第１演出実行状態に変換された前記第１演出部材に当接可能な第２当接部を備え、該第２当接部に第２磁性体を配置し、
前記第１演出ユニットを前記第１演出実行状態へ変換するとともに、前記第２演出ユニットを前記第２演出実行状態へ変換すると、前記第１磁性体と前記第２磁性体とが吸引されて前記第１当接部と前記第２当接部とが当接することを特徴とする請求項１に記載の遊技機である。
【発明の効果】
【０００９】
本発明によれば、表示部や表示部の前方で演出動作を行う可動演出装置の前方をカバーすることができる。
【図面の簡単な説明】
【００１０】
【図１】遊技盤の正面図である。
【図２】包囲枠体の分解斜視図である。
【図３】包囲枠体の断面図である。
【図４】可動演出装置の状態図であり、（ａ）は第１ユニットを第１演出停止状態に設定するとともに第２ユニットを第２演出停止状態に設定した状態図、（ａ）は第１ユニットを第１演出実行状態に設定するとともに第２ユニットを第２演出実行状態に設定した状態図である。
【図５】可動演出装置の後方から見た斜視図である。
【図６】ストッパ部による第１副腕部材の支持状態を示す説明図である。
【図７】第１演出部材の分解斜視図である。
【図８】第２演出部材の分解斜視図である。
【図９】当接状態の第１演出部材および第２演出部材の断面図である。
【図１０】ケース側磁石を収納する構成を示す説明図であり、（ａ）は分解斜視図、（ｂ）は第２演出部材を当接した状態の断面図である。
【発明を実施するための形態】
【００１１】
以下、代表的な遊技機であるパチンコ遊技機を例に挙げて本発明の実施の最良の形態を図面に基づき説明する。図１はパチンコ遊技機の遊技盤の正面図である。
パチンコ遊技機の遊技盤１は、図１に示すように、合板やプラスチックなどで形成された矩形状の遊技盤本体２を備え、該遊技盤本体２の表面にガイドレールやサイドケース等の区画部材３を止着して略円形状の遊技領域４を区画形成し、該遊技領域４内の略中央に包囲枠体（センターケース）５を配置し、包囲枠体５の後方には、表示部７ａに複数の識別情報を変動表示して変動表示ゲームを行う表示装置（変動表示装置）７を備えている。また、遊技領域４のうち包囲枠体５の下方には、遊技球を受入可能（入賞可能）な変動表示ゲーム始動用の始動入賞口８を配置し、包囲枠体５の側方（右側方）には普図始動ゲート９を配置し、包囲枠体５の左下方および右下方には、発光により各種の装飾表示を行うサイドランプ１１を配置し、該サイドランプ１１に一般入賞口１２を備えている。さらに、始動入賞口８の下方には大入賞口１３を配置し、該大入賞口１３の下方であって遊技領域４の下縁部には、入賞せずに流下した遊技球を回収するアウト口１４を開設し、包囲枠体５や始動入賞口８等の取付部分を除いた遊技領域４内に障害釘（図示せず）を植設してある。そして、包囲枠体５と、該包囲枠体５を挟んで普図始動ゲート９とは反対側（図１中、右側）に位置する区画部材３との間を離間して、縦長な円弧状の遊技球通路１５を形成してある。
【００１２】
次に、包囲枠体５について説明する。
包囲枠体５は、図２および図３に示すように、遊技盤本体２（遊技盤１）の表面側に前面構成部として配置される装飾枠部１８と、遊技盤本体２の裏面側に裏面構成部として配置される枠体基部１９（本発明における裏面構成部材に相当）とを前後に重合して構成されている。装飾枠部１８は、遊技盤本体２の表面に止着される環状の装飾ベース２１を備え、該装飾ベース２１の裏面側には、装飾ベース２１（本発明における前面構成部材に相当）と略同じ大きさで円形状に形成された装飾パネルユニット２２を備え、装飾ベース２１と装飾パネルユニット２２とを前後に重合して構成されている。
【００１３】
装飾ベース２１は、当該装飾ベース２１の上部に庇状の鎧部２４を左右両側方へ向けて下り傾斜した状態で備えるとともに、装飾ベース２１よりも前方へ突出した状態に設定している。また、鎧部２４の左右両側の傾斜下端から縦長な側辺部２６を装飾ベース２１よりも前方へ突出した状態で備え、鎧部２４と側辺部２６とで倒コ字状の壁を形成して遊技球（詳しくは遊技領域４内を包囲枠体５の上方から流下してくる遊技球）が鎧部２４や側辺部２６に当接可能とし、遊技球が包囲枠体５の内部へ入ることを規制している。さらに、装飾ベース２１の下部には、上面に遊技球を横方向（前後方向および左右方向）へ転動可能なベース側ステージ部２８（本発明におけるステージ部に相当）を横長に形成して配置し、該ベース側ステージ部２８と遊技球通路１５との間にはベース側装飾ランプ２９を配置している（図１参照）。そして、ベース側ステージ部２８を挟んでベース側装飾ランプ２９とは反対側には、遊技球が流下可能な球導入路（ワープ流路）３０を設け、球導入路３０の入口３０ａを装飾ベース２１の外方（詳しくは遊技領域４の普図始動ゲート９側（図１中、左側））へ向けて開放した状態で開設し、球導入路３０の出口３０ｂを後述する装飾パネルユニット２２の裏側へ連通している。
【００１４】
装飾パネルユニット２２は、略円形状の透明樹脂板で形成されたカバーパネル部３２を備え、該カバーパネル部３２の前面側の周縁に複数の装飾具（ユニット側装飾ランプ３３、装飾部材３４、装飾ブロック３５）を配置している。具体的には、カバーパネル部３２の上縁部には横長なユニット側装飾ランプ３３を配置し、カバーパネル部３２のうちベース側装飾ランプ２９寄りの側縁部（図２中、右側縁部）には、複数の歯車の形状を模した装飾部材３４を回動可能な状態で備え、カバーパネル部３２のうちユニット側装飾ランプ３３を挟んで装飾部材３４とは反対側の側縁部（図２中、左側縁部）には、縦長な円弧状の装飾ブロック３５を備えている。そして、装飾パネルユニット２２と装飾枠部１８とを重合すると、ユニット側装飾ランプ３３、装飾部材３４、装飾ブロック３５が装飾ベース２１の内周縁に沿って配置されるように設定されている（図１参照）。また、カバーパネル部３２の裏面側の下部には、上面に遊技球を横方向（前後方向および左右方向）へ転動可能なユニット側ステージ部３６（本発明における後方遊技領域の後方領域側ステージ部に相当）を横長な透明部材で形成して配置し、該ユニット側ステージ部３６が装飾ベース２１のベース側ステージ部２８よりも上方に位置するように設定している（図３参照）。
【００１５】
さらに、図２に示すように、カバーパネル部３２の下側の中央部には、遊技球が通過可能な略矩形状の球導出開口３８を開設してベース側ステージ部２８の中央部とユニット側ステージ部３６の中央部とを連通し、ユニット側ステージ部３６上を転動した遊技球がベース側ステージ部２８へ流下できるように構成されている。そして、カバーパネル部３２のうち球導入路３０の出口３０ｂに重合する箇所には球流入口３９を開設し、該球流入口３９を介して球導入路３０とユニット側ステージ部３６とを連通している。したがって、遊技領域４を流下する遊技球、詳しくは遊技領域４のうち普図始動ゲート９の周辺を流下する遊技球が球導入路３０へ流入すると、球導入路３０がこの遊技球をユニット側ステージ部３６上へ導入できるように構成されている。なお、カバーパネル部３２のうち球導出開口３８の左右両側方には、遊技球の直径よりも上下幅が狭い清掃用開口４０を複数開設し、包囲枠体５の前方から清掃用開口４０へ清掃用具（例えば綿棒）を通してユニット側ステージ部３６を清掃できるように構成されている。
【００１６】
枠体基部１９は、図３に示すように、遊技盤１の裏面側に止着される額縁状の基部ケース４３を前側が開放した状態で備え、該基部ケース４３の内側（言い換えると包囲枠体５の内部）に、開口部４４ａが前面側に設けられた凹室４４を形成している。また、基部ケース４３のうち凹室４４の後方には矩形状の表示開口窓４５を前後方向へ貫通して開設し、基部ケース４３の後方から表示装置７を装着して、表示装置７の表示部７ａを表示開口窓４５および凹室４４を通して包囲枠体５の前方へ臨ませている。さらに、表示開口窓４５の上縁部の前側には、複数の装飾ピース４６を上下動可能な状態で配置し、表示開口窓４５の左右両側の周縁には、表示部７ａの前方へ移動して演出動作を行う可動演出装置４８を備え、表示開口窓４５の下縁部の前側には、透明部材で形成された横長な棚部５０をユニット側ステージ部３６よりも高くなる状態で配置している。また、該棚部５０の下方にはステージ用照明部材５１を備え、該ステージ用照明部材５１の前側部をユニット側ステージ部３６の下方に収容可能とし、ステージ用照明部材５１からの光をユニット側ステージ部３６および棚部５０へ照射し、さらにはユニット側ステージ部３６および棚部５０へ透過させて、ユニット側ステージ部３６上を転動する遊技球や、表示部７ａの前方へ移動してきた可動演出装置４８の一部へ照射できるように構成されている。そして、枠体基部１９の前方に装飾枠部１８を重合すると、凹室４４の開口部４４ａおよび表示開口窓４５をカバーパネル部３２で前方から被覆し、表示装置７の表示部７ａを装飾枠部１８の内側（カバーパネル部３２が露出した箇所）から包囲枠体５の前方へ臨ませるように構成されている。
【００１７】
次に、可動演出装置４８について説明する。
可動演出装置４８は、図４および図５に示すように、第１演出ユニット５６と第２演出ユニット５７とを互いに離間した位置に備えて構成されている。具体的には、包囲枠体５の一側、詳しくは基部ケース４３のうち表示開口窓４５の周縁の一側（図４（ａ）中、左側）に第１演出ユニット５６を配置し、包囲枠体５の他側、詳しくは基部ケース４３のうち表示開口窓４５の周縁の他側（図４（ａ）中、右側）に第２演出ユニット５７を配置し、包囲枠体５の前方から見て第１演出ユニット５６と第２演出ユニット５７との間に凹室４４および表示開口窓４５を臨ませることができるように設定されている。
【００１８】
第１演出ユニット５６は、表示部７ａの前方へ移動可能な第１演出部材６０と、該第１演出部材６０の駆動力を発生する第１演出駆動源としての第１演出モータ６１と、第１演出モータ６１から発生した駆動力（回動力）を第１演出部材６０へ伝達する第１演出伝達機構（第１主腕部材６３および第１副腕部材６４）とを備えて構成されている。詳しく説明すると、基部ケース４３の一側（図４（ａ）中、左側）の下部のうち棚部５０よりも上方の位置に止着される第１ユニットベース６５を備え、該第１ユニットベース６５に第１演出モータ６１を出力軸（第１出力軸）６１ａが包囲枠体５の前後方向に沿って延在する姿勢、且つ第１ユニットベース６５の前方へ向けて突出する状態で止着し、第１出力軸６１ａには第１駆動ギア６６を共回り可能な状態で軸着している。
【００１９】
また、第１ユニットベース６５のうち第１駆動ギア６６の上方には長尺な第１主腕部材６３のモータ側端部（図４（ｂ）中、左端部）を軸着し、この軸着部、言い換えると第１主腕部材６３と第１演出モータ６１との間には、第１主腕側回動軸６８を第１出力軸６１ａと平行な状態で設定し、第１主腕部材６３のモータ側端部の周縁には第１主腕ギア６９を形成し、該第１主腕ギア６９を第１駆動ギア６６へ噛合している。さらに、第１ユニットベース６５のうち第１駆動ギア６６の下方には、長尺な第１副腕部材６４のモータ側端部（図４（ｂ）中、左端部）を軸着し、この軸着部、言い換えると第１副腕部材６４と第１演出モータ６１との間には、第１副腕側回動軸７０を第１出力軸６１ａおよび第１主腕側回動軸６８と平行な状態で設定し、第１副腕部材６４のモータ側端部の周縁には第１副腕ギア７１を形成し、該第１副腕ギア７１を第１駆動ギア６６へ噛合している。なお、第１副腕部材６４のモータ側端部には第１副腕部材６４の前方へ屈曲した第１屈曲部７２を設け（図６参照）、該第１屈曲部７２の前端部に第１副腕側回動軸７０および第１副腕ギア７１を設定している。そして、第１副腕部材６４のうち第１屈曲部７２を挟んで第１副腕ギア７１とは反対側（図４（ｂ）中、右側）の部分が第１主腕部材６３よりも後方の表示開口窓４５寄り、且つ棚部５０の直上に位置するように構成されている。
【００２０】
さらに、第１主腕部材６３のうち第１主腕側回動軸６８側とは反対側、言い換えると第１演出部材６０側（図４（ｂ）中、右側）の端部（演出側端部）６３ａと、第１副腕部材６４のうち第１副腕側回動軸７０側とは反対側、言い換えると第１演出部材６０側（図４（ｂ）中、右側）の端部（演出側端部）６４ａとを、互いに異なる位置で第１演出部材６０へ軸着し、第１主腕部材６３および第１副腕部材６４により第１演出部材６０を支持している。詳しくは、第１主腕部材６３の演出側端部６３ａを第１演出部材６０の上部の前側へ軸着するとともに、第１副腕部材６４の演出側端部６４ａを第１演出部材６０の下部の後側へ軸着している。なお、第１演出部材６０の構造については、後で詳細に説明する。
【００２１】
このような構成を備えた第１演出ユニット５６は、第１演出モータ６１を駆動して第１駆動ギア６６を包囲枠体５の正面から見て時計方向へ回動すると、第１演出モータ６１の駆動力（回動力）を第１駆動ギア６６および第１主腕ギア６９を介して第１主腕部材６３へ伝達し、この駆動力により第１主腕部材６３が第１主腕側回動軸６８の周りに包囲枠体５の正面から見て反時計方向へ回動する。また、第１演出モータ６１の駆動力を第１駆動ギア６６および第１副腕ギア７１を介して第１副腕部材６４へ伝達し、この駆動力により第１副腕部材６４が第１副腕側回動軸７０の周りに第１主腕部材６３と同じ反時計方向へ回動する。この結果、第１演出部材６０が第１主腕部材６３および第１副腕部材６４に支持された状態で上昇する。そして、第１演出モータ６１の駆動力により第１主腕部材６３および第１副腕部材６４を第１ユニットベース６５から上方へ延出して縦向き姿勢に設定すると、図４（ａ）に示すように、第１演出部材６０を表示部７ａの前方から外れて位置させた第１演出停止状態となり、第１演出部材６０が第１ユニットベース６５の上方、且つ表示開口窓４５の側方に位置して、装飾枠部１８の後方および遊技盤本体２の後方に隠れる（図１参照）。
【００２２】
一方、第１演出停止状態から第１演出モータ６１を駆動して第１駆動ギア６６を包囲枠体５の正面から見て反時計方向へ回動すると、第１演出モータ６１の駆動力（回動力）を第１駆動ギア６６および第１主腕ギア６９を介して第１主腕部材６３へ伝達し、この駆動力により第１主腕部材６３が第１主腕側回動軸６８の周りに包囲枠体５の正面から見て時計方向へ回動する。また、第１演出モータ６１の駆動力を第１駆動ギア６６および第１副腕ギア７１を介して第１副腕部材６４へ伝達し、この駆動力により第１副腕部材６４が第１副腕側回動軸７０の周りに第１主腕部材６３と同じ時計方向へ回動する。この結果、第１演出部材６０が第１主腕部材６３および第１副腕部材６４に支持された状態で下降する。そして、第１演出モータ６１の駆動力により第１主腕部材６３および第１副腕部材６４を第１ユニットベース６５から表示部７ａの前方へ延出して横向き姿勢に設定すると、図４（ｂ）に示すように、第１演出部材６０を表示部７ａの前方へ位置させた第１演出実行状態となり、第１演出部材６０が表示部７ａとカバーパネル部３２との間の空間部のうち表示部７ａの中央部分の前方に位置する。なお、棚部５０の第１演出ユニット５６側にはストッパ部７５を棚部５０の上方へ突出して設け、第１演出実行状態における第１副腕部材６４をストッパ部７５により下方から支持して、第１演出部材６０が第１演出実行状態における位置から下方へ移動することを規制するように構成されている（図４（ｂ）および図６参照）。
【００２３】
第２演出ユニット５７は、表示部７ａの前方へ移動可能な第２演出部材８０と、該第２演出部材８０の駆動力を発生する第２演出駆動源としての第２演出モータ８１と、第２演出モータ８１から発生した駆動力（回動力）を第２演出部材８０へ伝達する第２演出伝達機構（第２主腕部材８３および第２副腕部材８４）とを備えて構成されている。詳しく説明すると、基部ケース４３の他側（図４（ａ）中、右側）の上部に止着される第２ユニットベース８５を備え、該第２ユニットベース８５に第２演出モータ８１を出力軸（第２出力軸）８１ａが包囲枠体５の前後方向に沿って延在する姿勢、且つ第２ユニットベース８５の前方へ向けて突出する状態で止着し、第２出力軸８１ａには第２駆動ギア８６を共回り可能な状態で軸着している。
【００２４】
また、第２ユニットベース８５のうち第２駆動ギア８６よりも第１演出ユニット５６寄り（図４（ｂ）中、左寄り）の位置には長尺な第２主腕部材８３のモータ側端部（図４（ｂ）中、右端部）を軸着し、この軸着部、言い換えると第２主腕部材８３と第２演出モータ８１との間には、第２主腕側回動軸８８を第２出力軸８１ａと平行な状態で設定し、第２主腕部材８３のモータ側端部の周縁には第２主腕ギア８９を形成し、該第２主腕ギア８９を第２駆動ギア８６へ噛合している。さらに、第２ユニットベース８５のうち第２駆動ギア８６の下方には、長尺な第２副腕部材８４のモータ側端部（図４（ｂ）中、右端部）を軸着し、この軸着部、言い換えると第２副腕部材８４と第２演出モータ８１との間には、第２副腕側回動軸９０を第２出力軸８１ａおよび第２主腕側回動軸８８と平行な状態で設定し、第２副腕部材８４のモータ側端部の周縁には第２副腕ギア９１を形成し、該第２副腕ギア９１を第２駆動ギア８６へ噛合している。なお、第２副腕部材８４のモータ側端部には第２副腕部材８４の前方へ屈曲した第２屈曲部９２を設け、該第２屈曲部９２の前端部に第２副腕側回動軸９０および第２副腕ギア９１を設定している。そして、第２副腕部材８４のうち第２屈曲部９２を挟んで第２副腕ギア９１とは反対側（図４（ｂ）中、左側）の部分が第２主腕部材８３よりも後方の表示開口窓４５寄りに位置するように構成されている。
【００２５】
さらに、第２主腕部材８３のうち第２主腕側回動軸８８側とは反対側、言い換えると第２演出部材８０側（図４（ｂ）中、左側）の端部（演出側端部）８３ａと、第２副腕部材８４のうち第２副腕側回動軸９０側とは反対側、言い換えると第２演出部材８０側（図４（ｂ）中、左側）の端部（演出側端部）８４ａとを、互いに異なる位置で第２演出部材８０へ軸着し、第２主腕部材８３および第２副腕部材８４により第２演出部材８０を支持している。詳しくは、第２主腕部材８３の演出側端部８３ａを第２演出部材８０の上部の前側へ軸着するとともに、第２副腕部材８４の演出側端部８４ａを第２演出部材８０の下部の後側へ軸着している。なお、第２演出部材８０の構造については、後で詳細に説明する。
【００２６】
このような構成を備えた第２演出ユニット５７は、第２演出モータ８１を駆動して第２駆動ギア８６を包囲枠体５の正面から見て時計方向へ回動すると、第２演出モータ８１の駆動力（回動力）を第２駆動ギア８６および第２主腕ギア８９を介して第２主腕部材８３へ伝達し、この駆動力により第２主腕部材８３が第２主腕側回動軸８８の周りに包囲枠体５の正面から見て反時計方向へ回動する。また、第２演出モータ８１の駆動力を第２駆動ギア８６および第２副腕ギア９１を介して第２副腕部材８４へ伝達し、この駆動力により第２副腕部材８４が第２副腕側回動軸９０の周りに第２主腕部材８３と同じ反時計方向へ回動する。この結果、第２演出部材８０が第２主腕部材８３および第２副腕部材８４に支持された状態で下降する。そして、第２演出モータ８１の駆動力により第２主腕部材８３および第２副腕部材８４を回動して第２演出部材８０を下死点へ到達させ、引き続き第２主腕部材８３および第２副腕部材８４を回動して第２ユニットベース８５から斜め下方へ延出して縦向き姿勢（詳しくは基部ケース４３の第２演出ユニット５７側の側壁部（図４（ａ）中、右側壁部）４３ａへ向けて下り傾斜した姿勢）に設定し、第２演出部材８０を下死点から僅かに上昇させると、図４（ａ）に示すように、第２演出部材８０を表示部７ａの前方から外れて位置させた第２演出停止状態となり、第２演出部材８０が第２ユニットベース８５の下方、且つ表示開口窓４５の側方に位置して、装飾枠部１８の後方および遊技盤本体２の後方に隠れる（図１参照）。
【００２７】
一方、第２演出停止状態から第２演出モータ８１を駆動して第２駆動ギア８６を包囲枠体５の正面から見て反時計方向へ回動すると、第２演出モータ８１の駆動力（回動力）を第２駆動ギア８６および第２主腕ギア８９を介して第２主腕部材８３へ伝達し、この駆動力により第２主腕部材８３が第２主腕側回動軸８８の周りに包囲枠体５の正面から見て時計方向へ回動する。また、第２演出モータ８１の駆動力を第２駆動ギア８６および第２副腕ギア９１を介して第２副腕部材８４へ伝達し、この駆動力により第２副腕部材８４が第２副腕側回動軸９０の周りに第２主腕部材８３と同じ時計方向へ回動する。この結果、第２演出部材８０が第２主腕部材８３および第２副腕部材８４に支持された状態で上昇する。そして、第２演出モータ８１の駆動力により第２主腕部材８３および第２副腕部材８４を第２ユニットベース８５から表示部７ａの前方へ延出して横向き姿勢に設定すると、図４（ｂ）に示すように、第２演出部材８０を表示部７ａの前方へ位置させた第２演出実行状態となり、第２演出部材８０が表示部７ａとカバーパネル部３２との間の空間部のうち表示部７ａの中央部分の前方に位置する。
【００２８】
次に、第１演出部材６０および第２演出部材８０について説明する。
第１演出部材６０は、包囲枠体５の正面から見て略半円形状の部材であり、第１演出ユニット５６側（図４（ｂ）中、右側）に円弧面を配置した姿勢に設定されている。また、図７に示すように、当該第１演出部材６０の基部となる第１演出ベース１００を透明な樹脂で形成して備え、該第１演出ベース１００の上部には、第１主腕部材６３を第１演出ベース１００の前方から軸着する第１主腕軸着部１０１を形成し、第１演出ベース１００の下部には、第１副腕部材６４を第１演出ベース１００の後方から軸着する第１副腕軸着部１０２を形成している。さらに、第１演出ベース１００の前面には、光を拡散しながら透過可能な第１光拡散シート１０３を重合し、該第１光拡散シート１０３の前面に透明な第１保護パネル１０４を重合して、第１光拡散シート１０３が第１演出部材６０から脱落することを阻止している。また、第１演出ベース１００の後部を前方へ窪ませて第１基板収納空間部１０５を形成し、該第１基板収納空間部１０５にＬＥＤなどの発光体が実装された第１発光基板１０６を収納し、この状態で第１基板収納空間部１０５を第１ベース蓋部１０７で閉塞して、第１発光基板１０６が第１演出部材６０から脱落することを阻止している。そして、第１発光基板１０６の発光体から光を発生すると、この光が第１演出ベース１００、第１光拡散シート１０３、第１保護パネル１０４を透過して包囲枠体５の前方へ照射されるように構成されている。
【００２９】
第２演出部材８０は、包囲枠体５の正面から見て上部に切欠部分がある略平行四辺形状を呈しており、第２演出停止状態においては当該第２演出部材８０の上下両側面を第２演出ユニット５７側から第１演出ユニット５６側へ向けて下り傾斜させ（図４（ａ）参照）、第２演出実行状態においては当該第２演出部材８０の左右両側面を第２演出ユニット５７側から第１演出ユニット５６側へ向けて下り傾斜させる姿勢に設定されている（図４（ｂ）参照）。また、図８に示すように、当該第２演出部材８０の基部となる第２演出ベース１１０を透明な樹脂で形成して備え、該第２演出ベース１１０の上部には、第２主腕部材８３を第２演出ベース１１０の前方から軸着する第２主腕軸着部１１１を形成し、第２演出ベース１１０の下部には、第２副腕部材８４を第２演出ベース１１０の後方から軸着する第２副腕軸着部１１２を形成している。さらに、第２演出ベース１１０の前面には、光を拡散しながら透過可能な第２光拡散シート１１３を重合し、該第２光拡散シート１１３の前面に透明な第２保護パネル１１４を重合して、第２光拡散シート１１３が第２演出部材８０から脱落することを阻止している。また、第２演出ベース１１０の後部を前方へ窪ませて第２基板収納空間部１１５を形成し、該第２基板収納空間部１１５にＬＥＤなどの発光体が実装された第２発光基板１１６を収納し、この状態で第２基板収納空間部１１５を第２ベース蓋部１１７で閉塞して、第２発光基板１１６が第２演出部材８０から脱落することを阻止している。そして、第２発光基板１１６の発光体から光を発生すると、この光が第２演出ベース１１０、第２光拡散シート１１３、第２保護パネル１１４を透過して包囲枠体５の前方へ照射されるように構成されている。
【００３０】
さらに、可動演出装置４８は、第１演出部材６０に第１当接部１２１を備えるとともに、第２演出部材８０に第２当接部１２２を備え、第１演出ユニット５６を第１演出実行状態へ変換するとともに、第２演出ユニット５７を第２演出実行状態へ変換すると、第１当接部１２１と第２当接部１２２とを当接して第１演出部材６０と第２演出部材８０とで１つの装飾体を形成し、この装飾体を表示部７ａの中央部の前方に位置させるように構成されている。
【００３１】
具体的には、第１演出部材６０のうち第２演出ユニット５７側に臨ませた平面状の側面部（図４（ａ）中、右側面部）を第１当接部１２１として第２演出部材８０の第２当接部１２２へ当接可能とし、第２演出部材８０のうち第１演出ユニット５６側に臨ませた平面状の側面部（図４（ａ）中、左側面部）を第２当接部１２２として第１演出部材６０の第１当接部１２１へ当接可能としている。また、図７に示すように、第１当接部１２１の第１基板収納空間部１０５側には、後部が開放された第１演出磁石ホルダ１２４を窪ませて形成し、該第１演出磁石ホルダ１２４にボタン形状の永久磁石からなる第１磁石１２５を磁極が第２演出部材８０側へ向いた姿勢で収納し、第１ベース蓋部１０７に突設された第１演出係止片１２６を第１磁石１２５へ後方から係止して、第１磁石１２５が第１当接部１２１（第１演出磁石ホルダ１２４）から脱落することを阻止している。さらに、図８に示すように、第２当接部１２２の第２基板収納空間部１１５側には、後部が開放された第２演出磁石ホルダ１２８を窪ませて形成し、該第２演出磁石ホルダ１２８にボタン形状の永久磁石からなる第２磁石１２９を、互いに当接した状態の第１当接部１２１および第２当接部１２２を挟んで第１磁石１２５とは対称となる位置に収納するとともに、第２磁石１２９の磁極が第１演出部材６０側へ向いた姿勢、且つ第１磁石１２５に近づけると吸引力を発生する姿勢に設定している（図９参照）。また、第２ベース蓋部１１７に突設された第２演出係止片１３０を第２磁石１２９へ後方から係止して、第２磁石１２９が第２当接部１２２から脱落することを阻止している。
【００３２】
そして、包囲枠体５は、第２演出停止状態において下死点から上昇した位置に設定される第２演出部材８０を基部ケース４３へ吸着する機能を備えている。詳しくは、第２演出ベース１１０のうち第２基板収納空間部１１５を挟んで第２当接部１２２とは反対側（図８中、左側）には、前部が開放された第２停止用磁石ホルダ１３３を突設して、基部ケース４３の側壁部４３ａの内壁面に当接可能とし、第２停止用磁石ホルダ１３３にボタン形状の永久磁石からなる第２停止保持用磁石１３４を磁極が基部ケース４３の側壁部４３ａ側（図１０（ｂ）中、右側）へ向いた姿勢で収納している。さらに、第２保護パネル１１４の側部（図８中、左側部）に突設された係止ピン１３５を第２停止保持用磁石１３４へ前方から係止して、第２停止保持用磁石１３４が第２演出部材８０から脱落することを阻止している。
【００３３】
また、図１０（ａ）に示すように、基部ケース４３の側壁部（右側壁部）４３ａの外側には、浅い溝状のケース側ホルダ１３７を形成し、該ケース側ホルダ１３７にボタン形状の永久磁石からなるケース側磁石１３８を、互いに当接した状態の側壁部４３ａおよび第２停止用磁石ホルダ１３３を挟んで第２停止保持用磁石１３４とは対称となる位置に収納するとともに、ケース側磁石１３８の磁極が第２演出部材８０側へ向いた姿勢、且つ第２停止保持用磁石１３４に近づけると吸引力を発生する姿勢に設定している（図１０（ｂ）参照）。さらに、ケース側磁石１３８を収納した状態のケース側ホルダ１３７をケース側カバー１３９で被覆して、ケース側磁石１３８が基部ケース４３から脱落することを阻止している。そして、第２演出部材８０を基部ケース４３の側壁部４３ａへ近づけて第２停止保持用磁石１３４とケース側磁石１３８との間に吸引力（磁力）を発生させ、この吸引力により第２演出停止状態における第２演出部材８０が不用意に移動することを阻止可能としている。
【００３４】
次に、可動演出装置４８の作用について説明する。なお、可動演出装置４８は、予め第１演出ユニット５６を第１演出停止状態に設定し、第２演出ユニット５７を第２演出停止状態に設定しているものとする（図１および図４（ａ）参照）。
上記のような構成の包囲枠体５を遊技盤１に備え、遊技領域４を流下する遊技球が始動入賞口８に入賞すると、表示装置７の表示部７ａにおいて変動表示ゲームが行われる。この変動表示ゲームの最中に、表示部７ａにおける表示内容が予め定められた状態（例えば、大当たり状態や、大当たり状態が決定する前に表示されるリーチ状態）になると、可動演出装置４８は、第１演出モータ６１を駆動して第１演出部材６０を下降させ、第１演出ユニット５６を第１演出停止状態から第１演出実行状態へ変換する。さらに、第２演出モータ８１を駆動し第２演出部材８０を上昇させ、第２演出ユニット５７を第２演出停止状態から第２演出実行状態へ変換する。
【００３５】
このとき、第１演出ユニット５６は、第１主腕側回動軸６８と第１副腕側回動軸７０とを平行な状態に設定し、第１主腕部材６３の第１演出部材６０側の端部と、第１副腕部材６４の第１演出部材６０側の端部とを、互いに異なる位置で第１演出部材６０へ軸着する一方、第２演出ユニット５７は、第２主腕側回動軸８８と第２副腕側回動軸９０とを平行な状態に設定し、第２主腕部材８３の第２演出部材８０側の端部と、第２副腕部材８４の第２演出部材８０側の端部とを、互いに異なる位置で第２演出部材８０へ軸着しているので、演出動作中に各演出部材６０，８０が移動方向とは異なる方向、具体的には、第１主腕側回動軸６８の軸方向および第２主腕側回動軸８８の軸方向へぐらつく不都合を抑えることができ、可動演出装置４８に安定した演出動作を行わせることができる。
【００３６】
第１演出ユニット５６が第１演出実行状態へ変換するとともに、第２演出ユニット５７が第２演出実行状態へ変換すると、第１主腕部材６３が第１演出部材６０の上部を第２演出ユニット５７側へ押し出すとともに、第１副腕部材６４が第１演出部材６０の下部を第１演出ユニット５６側へ引き寄せる一方、第２主腕部材８３が第２演出部材８０の上部を第２演出ユニット５７側へ引き寄せるとともに、第２副腕部材８４が第２演出部材８０の下部を第１演出ユニット５６側へ押し出す。この結果、第１当接部１２１および第２当接部１２２が第１演出ユニット５６側（図４（ｂ）中、左側）へ向けて下り傾斜した姿勢、且つ第１当接部１２１が第２当接部１２２に上方から重合する姿勢となり、この状態で第１当接部１２１と第２当接部１２２とが当接するとともに第１磁石１２５と第２磁石１２９とが互いに吸引して、第１演出部材６０と第２演出部材８０とが横に並んだ状態でくっついて位置決めされる（図４（ｂ）参照）。したがって、第１演出部材６０および第２演出部材８０の支持が安定し難い場合であったとしても、第１演出部材６０と第２演出部材８０とをずらさずに当接して設定どおりの装飾体を形成することができる。これにより、迫力のある演出動作を支障なく行わせることができ、可動演出装置４８による視覚的な演出効果が損なわれる不都合を抑制することができる。
【００３７】
また、第１演出実行状態においては、第１副腕部材６４がストッパ部７５に下方から支持され、第１演出部材６０が第１演出実行状態における位置から下方へ移動することを規制する。さらに、移動を規制された第１演出部材６０内の第１磁石１２５と第２演出部材８０内の第２磁石１２９との間の吸引力（磁力）が第２演出部材８０に掛かる重力に抗して作用する。この結果、第１演出部材６０と第２演出部材８０とが当接した状態で各演出モータ６１，８１を停止したとしても、第１演出部材６０および第２演出部材８０が自重で下降することを避けることができる。したがって、各演出モータ６１，８１に負荷を掛けずに、第１演出ユニット５６を第１演出実行状態に維持することができるとともに、第２演出ユニット５７を第２演出実行状態に維持することができる。
【００３８】
さらに、仮に第１演出実行状態および第２演出実行状態へ変換する直前に第１演出モータ６１および第２演出モータ８１が停止したとしても、第１磁石１２５と第２磁石１２９との間の吸引力により第１当接部１２１と第２当接部１２２とを吸引して当接させ、第１演出部材６０と第２演出部材８０とで１つの装飾体を形成することができる。また、第１演出部材６０と第２演出部材８０とが近づくにつれて、第１磁石１２５と第２磁石１２９との間の吸引力が増大し、この吸引力により第１演出部材６０と第２演出部材８０とを次第に加速させてから当接することができる。したがって、従来とは異なる斬新な演出動作を簡単な構成で実現することができる。
【００３９】
第１演出実行状態および第２演出実行状態へ変換してから、予め設定された演出時間が経過すると、可動演出装置４８は、第１演出モータ６１を駆動して第１演出部材６０を上昇させ、第１演出ユニット５６を第１演出実行状態から第１演出停止状態へ変換する。さらに、第２演出モータ８１を駆動し第２演出部材８０を下降させ、第２演出ユニット５７を第２演出実行状態から第２演出停止状態へ変換する。このとき、第１主腕部材６３が第１演出部材６０の上部を第１演出ユニット５６側へ引き寄せるとともに、第１副腕部材６４が第１演出部材６０の下部を第２演出ユニット５７側へ押し出す一方、第２主腕部材８３が第２演出部材８０の上部を第１演出ユニット５６側へ押し出すとともに、第２副腕部材８４が第２演出部材８０の下部を第２演出ユニット５７側へ引き寄せる。すると、第１当接部１２１が傾斜状態から起立しながら上昇するとともに、第２当接部１２２が傾斜状態から起立しながら下降して、第１演出部材６０および第２演出部材８０を、第１磁石１２５と第２磁石１２９との間に生じる吸引力の方向とは異なる方向に沿って移動する。また、図４（ｂ）において二点鎖線で示すように、第１演出部材６０と第２演出部材８０とが第１当接部１２１および第２当接部１２２の傾斜方向に沿って上下にずれながら離間する。このことから、磁力により当接状態を維持している第１演出部材６０および第２演出部材８０を容易に離間させることができ、第１演出ユニット５６の第１演出停止状態への変換、および第２演出ユニット５７の第２演出停止状態への変換をスムーズに行うことができる。
【００４０】
そして、第１演出停止状態へ変換した第１演出ユニット５６は、第１演出部材６０の直下に第１主腕部材６３および第１副腕部材６４を配置して第１演出部材６０を安定した状態で支持する。また、第２演出停止状態へ変換した第２演出ユニット５７は、第２演出部材８０を基部ケース４３の側壁部４３ａへ当接する。この結果、第２停止保持用磁石１３４とケース側磁石１３８との間に吸引力が発生し、この吸引力により第２演出部材８０が不用意に第２演出部材８０の下死点へ移動して垂れ下がる不都合を未然に防ぐことができる。
【００４１】
ところで、前述の特許文献１に記載の遊技機のように、演出部材の移動範囲を広くすると、演出部材の支持が安定し難くなりがちであり、不安定な支持状態では、複数の演出部材同士を当接して装飾体を構成しようとしても、この装飾体が設定どおりに形成されない場合があり、却って演出効果を損なう虞がある。
本発明の他の目的は、移動可能な演出部材毎の支持が安定し難い場合であったとしても、演出部材同士を当接して設定どおりの装飾体を形成することができる遊技機を提供しようとするものである。
そして、上記の課題を解決するために、本発明の遊技機は、遊技領域が区画形成された遊技盤と、遊技領域に配置され、遊技球の内部への流入を規制する壁が枠状に設けられた包囲枠体と、該包囲枠体の後方に配置された表示装置と、を備えた遊技機において、
前記包囲枠体の内部には、開口部が前面側に設けられた凹室を備え、包囲枠体のうち凹室の後方には表示開口窓を開設し、表示装置の表示部を表示開口窓および凹室を通して包囲枠体の前方へ臨ませ、表示開口窓の周縁には、表示装置の表示部の前方へ移動して演出動作を行う可動演出装置を備え、
該可動演出装置は、第１演出ユニットと第２演出ユニットとを互いに離間した位置に備えて構成され、
前記第１演出ユニットは、前記表示部の前方へ移動可能な第１演出部材と、該第１演出部材の駆動力を発生する第１演出駆動源と、該第１演出駆動源から発生した駆動力を第１演出部材へ伝達する第１演出伝達機構と、を備え、第１演出駆動源を駆動して、第１演出部材を前記表示部の前方へ位置させた第１演出実行状態と、第１演出部材を前記表示部の前方から外れて位置させた第１演出停止状態と、に変換可能とし、
前記第２演出ユニットは、前記表示部の前方へ移動可能な第２演出部材と、該第２演出部材の駆動力を発生する第２演出駆動源と、該第２演出駆動源から発生した駆動力を第２演出部材へ伝達する第２演出伝達機構と、を備え、第２演出駆動源を駆動して、第２演出部材を前記表示部の前方へ位置させた第２演出実行状態と、第２演出部材を前記表示部の前方から外れて位置させた第２演出停止状態と、に変換可能とし、
前記第１演出部材には、第２演出部材に当接可能な第１当接部を備え、該第１当接部に第１磁石を配置し、
前記第２演出部材には、第１演出部材に当接可能な第２当接部を備え、該第２当接部に第２磁石を配置し、
前記第１演出ユニットを第１演出実行状態へ変換するとともに、第２演出ユニットを第２演出実行状態へ変換すると、第１当接部と第２当接部とを当接させるとともに第１磁石と第２磁石とを互いに吸引させて、第１演出部材と第２演出部材とを位置決めすることを特徴とした発明が含まれる。
この発明によれば、移動可能な演出部材毎の支持が安定し難い場合であったとしても、演出部材同士をずらさずに当接して設定どおりの装飾体を形成することができる。したがって、迫力のある演出動作を支障なく行わせることができ、可動演出装置による視覚的な演出効果が損なわれる不都合を抑制することができる。
【００４２】
また、上記構成において、前記第１演出伝達機構は、
前記第１演出部材を支持する第１主腕部材および第１副腕部材を備え、第１主腕部材と第１駆動源との間には第１主腕側回動軸を設定し、第１副腕部材と第１駆動源との間には第１副腕側回動軸を第１主腕側回動軸と平行な状態で設定し、
前記第１主腕部材を第１駆動源の駆動力により第１主腕側回動軸の周りに回動可能とし、第１副腕部材を第１駆動源の駆動力により第１副腕側回動軸の周りに回動可能とし、
前記第２演出伝達機構は、
前記第２演出部材を支持する第２主腕部材および第２副腕部材を備え、第２主腕部材と第２駆動源との間には第２主腕側回動軸を設定し、第２副腕部材と第２駆動源との間には第２副腕側回動軸を第２主腕側回動軸と平行な状態で設定し、
前記第２主腕部材を第２駆動源の駆動力により第２主腕側回動軸の周りに回動可能とし、第２副腕部材を第２駆動源の駆動力により第１副腕側回動軸の周りに回動可能とし、
前記第１主腕部材の第１演出部材側の端部と、第１副腕部材の第１演出部材側の端部とを、互いに異なる位置で第１演出部材へ軸着し、
前記第２主腕部材の第２演出部材側の端部と、第２副腕部材の第２演出部材側の端部とを、互いに異なる位置で第２演出部材へ軸着したことを特徴とする。
この構成によれば、磁力により当接状態を維持している演出部材同士を容易に離間させることができ、第１演出ユニットの第１演出停止状態への変換、および第２演出ユニットの第２演出停止状態への変換をスムーズに行うことができる。
【００４３】
さらに、上記各構成において、前記第１演出伝達機構は、第１磁石と第２磁石との間に生じる吸引力の方向とは異なる方向に沿って第１演出部材を移動可能とし、
前記第２演出伝達機構は、第１磁石と第２磁石との間に生じる吸引力の方向とは異なる方向に沿って第２演出部材を移動可能としたことを特徴とする。
この構成によれば、磁力により当接状態を維持している演出部材同士を容易に離間させることができ、第１演出ユニットの第１演出停止状態への変換、および第２演出ユニットの第２演出停止状態への変換をスムーズに行うことができる。
【００４４】
加えて、上記各構成において、前記第１演出ユニットは、第１演出伝達機構により第１演出部材を下降させて第１演出停止状態から第１演出実行状態へ変換可能とし、
前記第２演出ユニットは、第２演出伝達機構により第２演出部材を上昇させて第２演出停止状態から第２演出実行状態へ変換可能とし、
前記包囲枠体は、第１演出実行状態の第１演出部材または第１演出実行状態の第１演出伝達機構の少なくともいずれかを支持するストッパ部を備え、該ストッパ部により第１演出部材が第１演出実行状態における位置から下方へ移動することを規制することを特徴とする。
この構成によれば、演出部材同士が当接した状態で各演出駆動源を停止したとしても、各演出部材が自重で下降することを避けることができる。したがって、各演出駆動源に負荷を掛けずに、第１演出ユニットを第１演出実行状態に維持することができるとともに、第２演出ユニットを第２演出実行状態に維持することができる。
【００４５】
ところで、上記実施形態では、凹室４４を間に挟む状態で第１演出ユニット５６と第２演出ユニット５７を離間して備えたが、本発明はこれに限定されない。要は、第１演出ユニットと第２演出ユニットとを互いに離間した位置に配置していればよい。例えば、第１演出ユニットと第２演出ユニットとを上下に離した状態で配置してもよいし、前後に離した状態で配置してもよい。また、第１磁石１２５、第２磁石１２９、第２停止保持用磁石１３４、ケース側磁石１３８として永久磁石を採用したが、本発明はこれに限定されず、任意のタイミングで励磁または消磁可能な電磁石を採用してもよい。
【００４６】
さらに、上記実施形態において、ストッパ部７５は、第１演出実行状態における第１副腕部材６４を支持したが、本発明はこれに限定されない。要は、ストッパ部により第１演出実行状態における第１演出部材６０の位置を維持できれば、どのような構成であってもよい。例えば、第１演出部材６０のみを直接支持したり、第１主腕部材６３のみを支持したり、あるいは、第１演出部材６０、第１主腕部材６３、第１副腕部材６４を全て支持したりすることができるストッパ部を構成してもよい。言い換えると、包囲枠体５は、第１演出実行状態の第１演出部材６０または第１演出実行状態の第１演出伝達機構（第１主腕部材６３、第１副腕部材６４）の少なくともいずれかを支持するストッパ部を備えていればよい。
【００４７】
また、上記実施形態では、代表的な遊技機であるパチンコ遊技機を例にして説明したが、本発明はこれに限らず、遊技領域が区画形成された遊技盤と、遊技領域に配置され、遊技球の内部への流入を規制する壁が枠状に設けられた包囲枠体と、該包囲枠体の後方に配置された表示装置とを備えた遊技機であればどのような遊技機でもよい。例えば、封入球式パチンコ機、アレンジボール式遊技機、雀球式遊技機等の遊技機であってもよい。
【００４８】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００４９】
１  遊技盤
４  遊技領域
５  包囲枠体
７  表示装置
７ａ  表示部
１８  装飾枠部
１９  枠体基部
３２  カバーパネル部
４３  基部ケース
４３ａ  側壁部
４４  凹室
４５  表示開口窓
４８  可動演出装置
５０  棚部
５６  第１演出ユニット
５７  第２演出ユニット
６０  第１演出部材
６１  第１演出モータ
６３  第１主腕部材
６４  第１副腕部材
６６  第１駆動ギア
６８  第１主腕側回動軸
６９  第１主腕ギア
７０  第１副腕側回動軸
７１  第１副腕ギア
７５  ストッパ部
８０  第２演出部材
８１  第２演出モータ
８３  第２主腕部材
８４  第２副腕部材
８５  第２ユニットベース
８６  第２駆動ギア
８８  第２主腕側回動軸
８９  第２主腕ギア
９０  第２副腕側回動軸
９１  第２副腕ギア
１０１  第１主腕軸着部
１０２  第１副腕軸着部
１１１  第２主腕軸着部
１１２  第２副腕軸着部
１２１  第１当接部
１２２  第２当接部
１２４  第１演出磁石ホルダ
１２５  第１磁石
１２８  第２演出磁石ホルダ
１２９  第２磁石
１３３  第２停止用磁石ホルダ
１３４  第２停止保持用磁石
１３７  ケース側ホルダ
１３８  ケース側磁石
【図１】
0005683526.tif 000002
【図２】
0005683526.tif 000003
【図３】
0005683526.tif 000004
【図４】
0005683526.tif 000005
【図５】
0005683526.tif 000006
【図６】
0005683526.tif 000007
【図７】
0005683526.tif 000008
【図８】
0005683526.tif 000009
【図９】
0005683526.tif 000010
【図１０】
0005683526.tif 000011